(57)【特許請求の範囲】
【請求項１】
交流の回路遮断器(10)における直流のトリップ条件を検出するように構築された直流トリップアセンブリ(50)であって、前記回路遮断器(10)は、ハウジングアセンブリ(12)、トリップ装置アセンブリ(40)、及び導電体アセンブリ(14)を含み、前記導電体アセンブリ(14)は、幾つかの負荷導電体を含み、前記トリップ装置アセンブリ(40)は、トリップバー(42)を含んでおり、前記直流トリップアセンブリ(50)は、
負荷バス(22)に結合される電磁石(30)と、
本体(60)を含む取付けアセンブリ(52)と、を含み、前記取付けアセンブリの本体(60)は、旋回結合部(62)を含み、
前記取付けアセンブリの本体(60)は、前記回路遮断器のハウジングアセンブリ(12)に結合され、かつ前記取付けアセンブリの本体の旋回結合部(62)を前記電磁石(30)に隣接して配置する、ように構築され、
前記直流トリップアセンブリは、
磁性を有する本体(110)及びトリップバー連結部(130)を含むアーマチャアセンブリ(54)をさらに含み、前記トリップバー連結部(130)は前記アーマチャアセンブリの本体(110)から延びており、
前記アーマチャアセンブリの本体(110)は、前記取付けアセンブリの本体の旋回結合部(62)に回動可能に結合され、
前記アーマチャアセンブリの本体(110)は、前記アーマチャアセンブリの本体(110)が前記電磁石(30)に近接する第１位置と、前記アーマチャアセンブリの本体(110)が前記電磁石(30)から離れる第２位置との間で動くように構築され、
前記トリップバー連結部(130)は、第１位置と第２位置との間で動くように構築され、前記トリップバー連結部(130)の位置は、前記アーマチャアセンブリの本体(110)の位置に対応し、
前記トリップバー連結部(130)は、前記トリップバー(42)に結合されるように構築される、ことを特徴とする直流トリップアセンブリ。
【請求項２】
前記取付けアセンブリの本体の旋回結合部(62)は運動平面を有し、
前記アーマチャアセンブリの本体(110)は、長手軸(111)を有する長尺の四角形部(112)を含み、
前記アーマチャアセンブリの本体の平面状の部分の長手軸(111)は、前記取付けアセンブリの本体の旋回結合部(62)の運動平面に対して略直交する方向に延びる、ことを特徴とする請求項１に記載の直流トリップアセンブリ(50)。
【請求項３】
前記取付けアセンブリ(52)は、付勢アセンブリ(80)を含み、
前記付勢アセンブリ(80)は、前記アーマチャアセンブリの本体(110)に結合され、
前記付勢アセンブリ(80)は、前記アーマチャアセンブリの本体(110)を第２位置に付勢する、ことを特徴とする請求項１に記載の直流トリップアセンブリ(50)。
【請求項４】
前記付勢アセンブリ(80)は、幾つかのバネ(82)を含むことを特徴とする請求項３に記載の直流トリップアセンブリ(50)。
【請求項５】
前記取付けアセンブリ(52)は、較正アセンブリ(90)を含み、
前記アーマチャアセンブリの本体(110)が第２位置にあるとき、前記較正アセンブリ(90)は、前記アーマチャアセンブリの本体(110)を幾つかの較正位置のうちの１つに配置するように構築され、前記アーマチャアセンブリの本体(110)の較正位置は、上方の第２位置と下方の第２位置の間に配置される、ことを特徴とする請求項１に記載の直流トリップアセンブリ(50)。
【請求項６】
前記較正アセンブリ(90)は、較正ブロック(92)及び較正部材(94)を含み、
前記較正ブロック(92)は、前記取付けアセンブリの本体の旋回結合部(62)に隣接して前記取付けアセンブリの本体(60)に結合され、
前記較正ブロック(92)は、ネジ穴(96)を含み、
前記較正部材(94)は、ネジ部(100)を備えた長尺の本体(98)を含み、
前記較正部材(94)は、前記較正ブロック(92)に螺合可能に結合される、ことを特徴とする請求項５に記載の直流トリップアセンブリ(50)。
【請求項７】
前記回路遮断器のハウジングアセンブリ(12)は、幾つかのチャネル部(19)を定め、各チャネル部(19)は、幅を有しており、
前記取付けアセンブリの本体(60)は、障壁部材(64)を含み、
前記障壁部材(64)は、前記回路遮断器のハウジングアセンブリのチャネル部(19)に対応する幅を有する平面状の部材であり、
前記障壁部材(64)は、前記回路遮断器のハウジングアセンブリのチャネル部(19)内で、前記回路遮断器のハウジングアセンブリ(12)に結合されるように構築される、ことを特徴とする請求項１に記載の直流トリップアセンブリ(50)。
【請求項８】
前記障壁部材(64)は、幾つかの通気穴(65)を含むことを特徴とする請求項７に記載の直流トリップアセンブリ(50)。
【請求項９】
前記取付けアセンブリの本体(60)は、障壁部材(64)及び較正ブロック(92)を含み、
前記取付けアセンブリの本体の旋回結合部(62)、障壁部材(64)、及び較正ブロック(92)は、単一体をなすことを特徴とする請求項１に記載の直流トリップアセンブリ(50)。
【請求項１０】
ハウジングアセンブリ(12)、トリップ装置アセンブリ(40)、導電体アセンブリ(14)、及び請求項１から９のいずれか１項に記載の直流トリップアセンブリ(50)を含んでおり、
前記ハウジングアセンブリ(12)は、幾つかのチャンネル部(19)を定め、
前記導電体アセンブリ(14)は、幾つかの負荷バス(22)を含み、
前記負荷バス(22)は、前記チャネル部(19)の１つに配置され、
前記トリップ装置アセンブリ(40)は、トリップバー(42)を含む、ことを特徴とする回路遮断器(10)。
【発明の詳細な説明】
【技術分野】
【０００１】
本出願は、２０１３年１２月１９日に出願された米国特許出願第１４／１３３，６９１号の優先権及び利益を主張するものであり、この出願の開示は参照により本明細書に援用される。
【０００２】
開示されかつ請求される概念は、回路遮断器に関し、より詳しくは、交流トリップアセンブリに替わる磁気式直流トリップアセンブリに関する。
【背景技術】
【０００３】
回路遮断器は周知である。回路遮断器は、トリップ装置アセンブリを含む。トリップ装置アセンブリは、一般には、交流または直流のいずれか１つにおける過電流状態を検出するように構築される。したがって、交流の過電流状態を検出するように構築されたトリップ装置アセンブリのみを有する回路遮断器は、直流の過電流状態を検出することができない。
【発明の概要】
【発明が解決しようとする課題】
【０００４】
したがって、交流トリップアセンブリを代替するように構築された直流トリップアセンブリに対する要望がある。さらに、直流トリップアセンブリを、既存の交流のみの回路遮断器に組み込まれるようにすることに対する要望がある。
【課題を解決するための手段】
【０００５】
上記の要望、及びその他の要望は、開示されかつ請求される概念の少なくとも１つの実施形態によって満足される。開示されかつ請求される概念は、回路遮断器内の交流トリップアセンブリを代替するように構築された磁気式直流トリップアセンブリを提供する。回路遮断器は、ハウジングアセンブリと、交流トリップアセンブリを備えたトリップ装置と、導電体アセンブリとを含む。導電体アセンブリは、幾つかの負荷バスを含み、トリップ装置は、トリップバーを含む。直流トリップアセンブリは、磁石と、取付けアセンブリと、アーマチャアセンブリとを含む。取付けアセンブリは、本体を含み、取付けアセンブリの本体は、旋回結合部を含む。取付けアセンブリの本体は、回路遮断器のハウジングアセンブリに結合され、かつ取付けアセンブリの本体の旋回結合部を磁石に隣接して配置するように、構築される。アーマチャアセンブリは、磁性を有する本体とトリップバー連結部を含み、トリップバー連結部は、アーマチャアセンブリの本体から延びる。アーマチャアセンブリの本体は、取付けアセンブリの本体の旋回結合部に回動可能に結合される。アーマチャアセンブリの本体は、アーマチャアセンブリの本体が磁石に近接する第１位置と、アーマチャアセンブリの本体が磁石から離れる第２位置との間で動くように構築される。トリップバー連結部は、第１位置と第２位置との間で動くように構築され、トリップバー連結部の位置は、アーマチャアセンブリの本体の位置に対応する。トリップバー連結部は、トリップバーに結合されるように構築される。
【０００６】
好適な実施形態の以下の説明を、添付図面を参照しつつ読むことにより、本発明の完全な理解が得られるであろう。
【図面の簡単な説明】
【０００７】
【図１】図１は、回路遮断器の部分等角図である。
【図２】図２は、回路遮断器を、第１位置においてハウジングアセンブリを省略して示す側面図である。
【図３】図３は、回路遮断器を、第２位置においてハウジングアセンブリを省略して示す側面図である。
【図４】図４は、直流トリップアセンブリの等角図である。
【図５】図５は、直流トリップアセンブリの取付けアセンブリの等角図である。
【図６】図６は、直流トリップアセンブリの側面図である。
【発明を実施するための形態】
【０００８】
添付図面に図示され、以下の詳細な説明に記載された特定の要素は、開示される概念の単なる例示的な実施形態であり、説明のみを目的とする非限定的な例として提供されるものである。したがって、本明細書に開示される実施形態に関連する特定の寸法、向き、及び他の物理的特性は、開示される概念の範囲を限定するものとして考えられるべきものではない。
【０００９】
本明細で使用される方向を示す用語（例えば、時計回り、反時計回り、左、右、頂部、底部、上方、下方、及びこれらから派生する用語）は、図面に示される要素の向きに関するものであり、請求項中に明示的に記載されていない限り、請求項を限定するものではない。
【００１０】
本明細書で使用される単数の名詞は、文脈から複数ではないことが明白に決まらない限り、複数への言及を含むものである。
【００１１】
本明細書において、２以上の部分または構成要素が「結合される」という記述は、これらの部分または構成要素が、直接的に、あるいは、間接的に（すなわち、結び付きが生じている限り、１以上の中間の部品または構成要素を介して）接合されるか、または、共に作動することを意味する。本明細書において、「直接結合される」は、２つの要素が互いに直接接触していることを意味する。本明細書において、「固定的に結合される」または「固定される」は、２つの要素が、互いの相対的な向きを一定に維持しながら一体として動くように結合されることを意味する。したがって、２つの要素が結合されているとき、それら２つの要素の全ての部分が結合されている。但し、第１の要素の特定の部分が第２の要素に結合される（例えば、軸の第１の端部が第１のホイールに結合される）という記載は、第１の要素のその特定の部分が、第２の要素に対して、第１の要素の他の部分よりも近接して配置されることを意味する。
【００１２】
本明細書において、２以上の部分または構成要素が互いに「係合する」という記述は、これらの部分または構成要素が、直接的に、または、１以上の中間の部品または構成要素を介して、互いに力を及ぼすことを意味する。
【００１３】
本明細書において、「単一体」という用語は、単一の部品またはユニットとして形成された構成要素を意味する。すなわち、別々に作成された複数の部品を含み、それらの部品が１ユニットとして結合された構成要素または物体は、「単一体」ではない。
【００１４】
本明細書において、「数」（または「幾つかの」）という用語は、１または１より大きい（すなわち、複数の）整数を意味する。
【００１５】
本明細書において、「結合アセンブリ」は、２以上の結合部または結合要素を含む。結合部または結合アセンブリの複数の構成要素は、一般に、同じ要素または他の構成要素の一部ではない。したがって、「結合アセンブリ」の複数の構成要素は、以下の説明において、同時に説明されない場合もある。
【００１６】
本明細書において、「結合部」または「結合要素」は、結合アセンブリの１以上の構成要素である。すなわち、結合アセンブリは、互いに結合されるように構成された少なくとも２つの構成要素を含む。結合アセンブリの複数の構成要素は、互いに適合するものである。例えば、結合アセンブリにおいて、１つの結合要素がスナップ式ソケットの場合、他の結合要素はスナップ式プラグである。また、１つの結合要素がボルトの場合、他の結合要素はナットである。
【００１７】
本明細書において、「磁性要素」または「磁性体」には、鉄または鋼によって引き付けられる部材（例えば、通常の磁石）、または、磁石が引き付けられる鉄製または鋼製の部材（または、同様の部材）のいずれの場合も含まれる。
【００１８】
本明細書において、磁石が、磁気引力を発生できる他の要素から「作動可能に離隔配置される」は、磁石または他の要素が拘束されていない場合、磁石または他の要素が動いて互いに接触するために十分な力で磁石が他の要素に引き付けられ得る程度に、２つの要素が近接していることを意味する。
【００１９】
本明細書において、「関連付けられた」という表現は、複数の要素が、同じアセンブリの一部であること、及び／または、共に作動すること、あるいは何らかの形で互いに作用を及ぼすかもしくは共に動作することを意味する。例えば、自動車は４つのタイヤと４つのハブキャップを有している。これらの全ての要素が自動車の一部として結合されている間、それぞれのハブキャップは、特定のタイヤと「関連付けられ」ている。
【００２０】
本明細書において、「〜するように構築される」の記載は、指定された要素またはアセンブリが、「〜する」によって指定された動作を実行するための形状、大きさ、配置、結合、及び／または、構成を有することを意味する。例えば、「動くように構築された」部材は、別の要素に可動に結合され、その部材を動かす要素を含むか、または、その部材が他の要素またはアセンブリに応答して動くように構成されている。
【００２１】
本明細書において、「対応する」とういう表現は、２つの構造要素の大きさ及び形状が互いに同様であり、最小限の摩擦で結合され得ることを示す。したがって、ある部材に「対応する」開口部は、その部材が開口部を最小限の摩擦で通ることができるように、その部材よりも僅かに大きい。この定義は、２つの構成要素が「スナッグ（snug）」に嵌まるまたは「スナッグに対応する」と言われる場合、修正される。この場合、２つの構成要素の間の大きさの差はさらに小さく、それによって、摩擦が増大する。開口部が設けられる要素及び／またはその開口部に挿入される構成要素が変形可能または圧縮可能な材料からなる場合、開口部は、その開口部に挿入される構成要素よりも僅かに小さい場合すらあり得る。この定義は、２つの構成要素が「十分に対応する」と言われる場合、さらに修正される。「十分に対応する」という表現は、開口部の大きさが、その開口部に挿入される要素の大きさに非常に近いことを意味する。この場合の近さは、言い換えれば、スナッグな嵌め合いのような実質的な摩擦が生じるほど近くはないが、「対応する」（すなわち、「僅かに大きい」）嵌め合いよりも強い接触及び大きな摩擦を伴う近さである。
【００２２】
図１に示すように、また周知のように、回路遮断器１０は、ハウジングアセンブリ１２、導電体アセンブリ１４、作動機構１６、トリップ装置アセンブリ４０、（模式的または部分的に示される幾つかの要素）、及び他の構成要素を含んでいる。ハウジングアセンブリ１２は、非導電性の材料からなり、他の構成要素を配置できる閉鎖空間１８を定める。ハウジングアセンブリの閉鎖空間１８は、例示的な一実施形態において、幾つかの空洞部１７に分けられており、これらの空洞部には、幾つかの長尺のチャネル部１９及びトリップ装置の空洞部（図示は省略する）が含まれる。
【００２３】
図２及び図３に示すように、各導電体アンセブリ１４は、負荷バス２２、可動接点２４、固定接点２６、及びラインバス２８を含むが、これらに限定されるものではない。負荷バス２２と可動接点２４は電気的に接続され、また、固定接点２６とラインバス２８は電気的に接続されている。作動機構１６は、各可動接点２４に作動可能に結合され、各可動接点２４を開位置である第１位置と閉位置である第２位置との間で動かすように構築されている。第１位置において、各可動接点２４は、第１位置において、関連付けられた固定接点２６から離れて配置され、第２位置において、関連付けられた固定接点２６に直接結合され、かつ電気的に接続される。さらに、負荷バス２２は、電磁石３０（以下、磁石３０という）を含む。電流が負荷バス２２を通じて流れるとき、磁石３０は磁界を発生する。例示的な一実施形態において、磁石３０は、可動接点２４から離れて配置される。また、例示的な一実施形態において、磁石３０は、略平面の上面３４を備えた略円筒形の本体３２を含む。磁石３０は、後述すように、直流トリップアセンブリ５０の一部でもある。周知のように、回路遮断器１０は、例示的な一実施形態において、複数の導電体アセンブリ１４を含む。さらに、各導電体アセンブリ１４は、ハウジングアセンブリのチャネル部１９内に、隣接する導電体アセンブリ１４から実質的に離れて配置される。
【００２４】
作動機構１６は、例えば、バネ（図示は省略する）のような（但し、これには限定されない）付勢要素（図示は省略する）を含み、この付勢要素は、接点２４を開位置である第１位置へと付勢する。作動機構１６は、接点２４、２６を閉位置である第２位置に動かすために使用されるハンドル（図示は省略する）を含む。作動機構１６は、さらに、接点２４、２６を第２位置に維持する止め部（図示は省略する）または同様の装置を含んでいる。止め部、またはより一般的には作動機構１６は、トリップ装置アセンブリ４０に機械的に結合される。例示的な一実施形態において、第１トリップアセンブリ（図示は省略する）は、交流回路における過電流状態を検出するように構築される（以下、交流トリップアセンブリという）。周知のように、交流トリップアセンブリが過電流状態を検出したとき、例えばトリップバー４２のような（但し、これには限定されない）、作動機構１６に結合された機械的連結部によって止め部が解除され、それによって、接点２４、２６が作動機構１６の付勢により開位置である第１位置に動かされる。すなわち、トリップ装置アセンブリ４０は、第１位置と第２位置との間で動くトリップバー４２を含んでおり、第１位置において、トリップバー４２は、作動機構１６を拘束せず、第２位置において、トリップバー４２は、作動機構１６を拘束する。さらに周知のように、作動機構１６は、「リセット」配置に動かすこともできる。
【００２５】
例示的な一実施形態において、交流トリップ装置の要素は、直流の磁石式トリップアーマチャアセンブリ５０（以下、直流トリップアセンブリ５０という）によって代替される。すなわち、図４及び図６に示すように、各導電体アセンブリ１４は、直流トリップアセンブリ５０を含んでいる。各直流トリップアセンブリ５０は、直流のトリップ条件を検出するように構築される。直流トリップアセンブリ５０は、交流トリップアセンブリ（図示は省略する）と取り替えられる。直流トリップアンセブリ５０は、（上述した）磁石３０、取付けアセンブリ５２、及びアーマチャアセンブリ５４を含む。取付けアセンブリ５２は、本体６０、付勢アセンブリ８０、及び較正アセンブリ９０を含む。
【００２６】
取付けアセンブリの本体６０は、図５に示すように、回路遮断器のハウジングアセンブリ１２に結合されるように構築される。取付けアセンブリの本体６０は、旋回結合部６２及び障壁部材６４を含む。例示的な一実施形態において、取付けアセンブリの本体６０は、略平面状のベース部材６６と２つの略平面状の側面部材６８、７０を含む。側面部材６８、７０は、略平面状のベース部材６６の側面から、ベース部材に対して略直交する方向に延びる。したがって、取付けアセンブリの本体６０は、略Ｕ字状の断面を有する。取付けアセンブリの本体６０は、側面部材６８、７０が延びる側である前面７２と、略平面状の背面７４を有する。例示的な一実施形態において、旋回結合部６２は、取付け部材の本体の背面７４を横断するように延びる溝部６３である。旋回結合部６２は運動平面を有し、この運動平面は、例示的な一実施形態において、側面部材６８、７０の平面に対して略平行である。
【００２７】
障壁部材６４は、略平面状の部材であり、回路遮断器のハウジングアセンブリのチャネル部１９に対応する幅を有する。言い換えれば、障壁部材６４は、回路遮断器のハウジングアセンブリのチャネル部１９と略同一の幅を有する。障壁部材６４は、幾つかの通気穴６５を含む。障壁部材６４は、回路遮断器のハウジングアセンブリのチャネル部１９内で回路遮断器のハウジングアセンブリ１２と結合され、かつ取付け部材の本体６０の旋回結合部６２を導電体アセンブリ１４に（さらに、例示的な一実施形態において、磁石３０に）隣接して配置するように構築される。例示的な一実施形態において、回路遮断器のハウジングアセンブリの各チャネル部１９は、２つの対向する溝部２１（図１）を含み、障壁部材６４はこの溝部に対応する大きさを有する。この構成において、取付けアセンブリの本体６０は、障壁部材６４を溝部２１内に滑り込ませることによって、回路遮断器のハウジングアセンブリ１２に結合させることができる。
【００２８】
図２及び図３に示すように、付勢アセンブリ８０は、例示的な一実施形態において、幾つかのバネ８２を含む。図示されるように、例示的な一実施形態において、バネ８２は２つあり、それぞれのバネは、取付けアセンブリの本体の側面部材６８、７０に結合されるか、または直接結合される。バネ８２は、さらに、後述するアーマチャアセンブリの本体１１０に結合され、かつアーマチャアセンブリの本体１１０を取付けアセンブリの本体６０に向けて付勢する。
【００２９】
較正アセンブリ９０は、例示的な一実施形態において、較正ブロック９２と較正部材９４を含む。例示的な一実施形態において、較正ブロック９２は、取付けアセンブリの本体６０に、取付けアセンブリの本体の旋回結合部６２に隣接して結合される。別の実施形態において、図示されるように、較正ブロック９２は、取付けアセンブリの本体６０と単一体をなす。図示されるように、較正ブロック９２は、取付けアセンブリの本体の側面部材６８、７０の間の取付けアセンブリの本体の前面７２上に配置される。較正ブロック９２は、ネジ穴９６を含む。較正アセンブリのネジ穴９６は、取付けアセンブリの旋回結合部６２の運動平面に略平行に延びる。較正部材９４は、ネジ部１００を備えた長尺の本体９８を含む。較正部材９４は、上記較正ブロック９２に螺合可能に結合される。
【００３０】
アーマチャアセンブリ５４は、本体１１０とトリップバー連結部１３０を含む。例示的な一実施形態において、アーマチャアセンブリの本体１１０は、略平面状であり、長尺の四角形部１１２と結合部１１４を含んでいる。四角形部１１２は磁性体である、四角形部１１２は、長手軸を有し、この長手軸は、取付けアセンブリの本体の結合部の運動平面に対して略直交する方向に延びる。例示的な一実施形態において、結合部１１４は、四角形部１１２から延びるか、または、四角形部１１２と単一体をなす。結合部１１４は、旋回ロッド１１４、付勢装置結合部１１８、及び較正装置結合部１２０を含む。
【００３１】
例示的な一実施形態において、結合部１１４は、略平面状であり、四角形部１１２と略同一の平面に沿って配置される。さらに、結合部１１４は、四角形部１１２に隣接する広幅端部から、旋回ロッド１１６における狭幅端部までテーパ付けられているか、または、図示されるように、テーパ部を有する。アーマチャアセンブリの旋回ロッド１１６は、旋回結合部の溝部６３に対応する大きさを有する。すなわち、アーマチャアセンブリの旋回ロッド１１６は、旋回結合部の溝部６３に回動可能に結合されるように構築されている。アーマチャアセンブリの旋回ロッド１１６に隣接して、取付けアセンブリの本体６０に対応する大きさを有する穴部１２２がある。結合部１１４は、図示されるように、さらなる穴部１２４を含む。
【００３２】
付勢装置結合部１１８は、付勢アセンブリ８０に結合されるように構築される。例示的な一実施形態において、付勢アセンブリ８０は、バネ８２を含んでおり、付勢装置結合部１１８は、バネ８２に結合されるように構築される。図示されるように、付勢装置結合部１１８は、さらなる穴部１２４によって定められる、薄く長尺のブレース（brace）１２８である。
【００３３】
較正装置結合部１２０は、結合部１１４の較正ブロック９２に隣接する平面部である。較正装置結合部１２０は、較正部材９４が係合する面を与えるものである。
【００３４】
トリップバー連結部１３０は、例示的な一実施形態において、トリップバー４２に結合されるように構築された剛性の連結部である。図示されるように、例示的な一実施形態において、トリップバー連結部１３０は、長尺のロッド１３２とブラケット１３４を含む。トリップバー連結部のロッド１３２は、略平面状のアーマチャアセンブリの本体１１０の略法線方向に延びる。トリップバー連結部のブラケット１３４は、トリップバー連結部のロッド１３２とトリップバー４２の両方に結合され、かつこれらのロッドとトリップバーの間に延びるものである。
【００３５】
直流トリップアセンブリ５０は、次のように組み立てられる。アーマチャアンセブリの本体１１０が、取付けアセンブリの本体の旋回結合部６２に回動可能に結合される。すなわち、例示的な一実施形態において、アーマチャアセンブリの旋回ロッド１１６が、旋回結合部の溝部６３に回動可能に結合される。取付けアセンブリの本体６０が、アーマチャアセンブリの結合部の穴部１２２内に配置されるとともに、較正装置結合部１２０は、較正ブロック９２に隣接して配置される。較正部材９４が、較正ブロック９２を通じて螺着され、較正部材の下端部は、較正装置結合部１２０に直に隣接するように配置される。付勢アセンブリ８０が、アーマチャアセンブリの本体１１０に結合される。すなわち、例示的な一実施形態において、付勢アセンブリのバネ８２が、取付けアセンブリの本体６０と付勢装置結合部のブレース１２８に結合され、かつこれらの本体とブレースとの間に延びる。
【００３６】
次いで、障壁部材６４が、回路遮断器のハウジングアセンブリ１２に結合される。例示的な一実施形態において、障壁部材６４は、回路遮断器のハウジングアセンブリのチャネル部１９内で、回路遮断器のハウジングアセンブリの互いに対向する溝部２１に結合される。トリップバー連結１３０が、例えば締結部材（図示は省略する）によって、トリップバーに結合される。
【００３７】
この構成において、アーマチャアセンブリの本体の磁性体の四角形部１１２は、磁石３０に隣接して配置される。さらに、アーマチャアセンブリの本体１１０は、アーマチャアセンブリの本体１１０が磁石３０に近接する第１位置と、アーマチャアセンブリの本体１１０が磁石３０から離れる第２位置との間で動くように構築される。これらの位置は、相対位置である。例示的な一実施形態において、アーマチャアセンブリの本体の磁性体の四角形部１１２は、アーマチャアセンブリの本体の磁性体の四角形部１１２が磁石３０と接触する第１位置と、アーマチャアセンブリの本体の磁性体の四角形部１１２が磁石３０から離れる第２位置との間で動くように構築される。
【００３８】
周知のように、導電体アセンブリ１４を通じて流れる電流量は、磁石３０に発生する磁界の強さに影響を及ぼす。すなわち、電流が増えるほど、磁界は強くなる。アーマチャアセンブリの本体１１０が、回路遮断器１０の正常動作の間の位置である第２位置にあるとき、アーマチャアセンブリ１１０の本体、より詳しくはアーマチャアセンブリの本体の磁性体の四角形部１１２は、磁石３０から作動可能に離隔配置されている。但し、アーマチャアセンブリの本体１１０は、付勢アセンブリ８０の強さによって、第２位置に維持されている。したがって、正常動作の間、すなわち、過電流状態ではないとき、アーマチャアセンブリの本体１１０は、磁石３０に向けて引き付けられない。
【００３９】
過電流状態が生じたとき、磁石３０によって発生する磁界の強さが増大する。磁石３０によって発生する磁界の強さが増大するとき、磁界の強さが付勢アセンブリ８０によって発生する付勢に打ち勝ち、アーマチャアセンブリの本体１１０が、導電体アセンブリ１４、より詳しくは、磁石３０に向けて、引き付けられる。アーマチャアセンブリの本体１１０の動きによって、トリップバー連結部１３０の動きが生じ、これによってトリップバー４２が回動する。周知のように、トリップバー４２が動くことによって、トリップ装置アセンブリ４０が作動機構１６を解除し、かつ接点２４、４６を第１位置に動かす。したがって、トリップバー連結部１３０も、第１位置と第２位置との間で動くものである。さらに、アーマチャアセンブリの本体１００、トリップバー連結部１３０、トリップバー４２、及び接点２４、２６の位置は、互いに対応する。すなわち、アーマチャアセンブリの本体１１０が第２位置にあるとき、トリップバー連結部１３０及びトリップバー４２はそれらの第２位置にあり、これによって、作動機構１５が接点２４、２６をそれらの第２位置に維持することが可能となる。過電流状態に続いて、アーマチャアセンブリの本体１１０が第１位置に動き、それによって今度はトリップバー連結部１３０及びトリップバー４２がそれらの第１位置に動き、これによって、作動機構１４が解除され、これによって、接点２４、２６のそれらの第１位置への動きが生じる。
【００４０】
較正アセンブリ９０は、アーマチャアセンブリの本体１１０の第２位置の位置を変更するように構築される。すなわち、較正アセンブリ９０は、アーマチャアセンブリの本体１１０を、それが第２位置にある間、磁石３０に対して少し近づくか、または磁石３０から少し離れるように動かすことを可能にする。例えば、較正部材９４をアーマチャアセンブリの本体１１０に向けて動かすことによって、較正部材９４は、図示された低位置で較正装置結合部１２０に接触して、これによって、アーマチャアセンブリの本体１１０は、較正部材９４が存在しない場合とくらべて、少し低い位置に配置される。このように、較正アセンブリ９０は、アーマチャアセンブリの本体１１０を、それが第２位置にある間、上方の第２位置と下方の第２位置との間で動かすことを可能にする。言い換えれば、アーマチャアセンブリの本体１１０がその第２位置にあるとき、較正部材９０は、アーマチャアセンブリの本体１１０を、幾つかの較正位置のうちの１つに配置するように構築され、アーマチャアセンブリの本体１１０の較正位置は、上方の第２位置と下方の第２位置との間に配置される。
【００４１】
本発明の特定の実施形態を詳細に説明したが、開示の全体的な教示に鑑みて、これらの詳細に対して様々な変更及び代替が可能であることは、当業者には明らかである。したがって、開示された特定の議論は、説明のみを意図するものであり、添付請求項の全範囲並びに任意の及び全ての均等物で与えられる本発明の範囲を限定するものではない。
【図１】
0006556139.tif 000002
【図２】
0006556139.tif 000003
【図３】
0006556139.tif 000004
【図４】
0006556139.tif 000005
【図５】
0006556139.tif 000006
【図６】
0006556139.tif 000007